(57)【要約】      （修正有）【課題】簡易に設置できるとともに容易に撤去することのできる簡易設置壁を提供する。【解決手段】一部が地中に埋設される２つの支持部材２と、これらに保持される保持部材３と、これに裏面が保持される第１壁板４と、その表面に保持される２以上の硬質ゴム製の第２壁板５と、から簡易設置壁１が構成される。ここで、第１壁板は、第１及び第２壁板と保持部材との厚みの総和より短く、第１壁板と保持部材との厚みの和より長いＵ字ボルトからなる固定具８を用いて保持部材に固定される。これにより、固定具の先端が第２壁板の表面から突出せず安全であり、簡易に設置と撤去が可能となる。【選択図】図１
0003188172.tif 000002
【実用新案登録請求の範囲】
【請求項１】
取り外し可能に設置される簡易設置壁であって、
一部が地中に埋設される２つの支持部材と、
前記２つの支持部材に該２つの支持部材が離間する方向の一側と他側がそれぞれ保持される保持部材と、
前記保持部材に裏面が保持される第１壁板と、
前記第１壁板の表面に保持される２以上の硬質ゴム製の第２壁板とを備え、
前記第１壁板は、固定具を用いて前記保持部材に保持されることを特徴とする簡易設置壁。
【請求項２】
前記保持部材の地面からの高さを調整する調整部材をさらに備えることを特徴とする、請求項１に記載の簡易設置壁。
【請求項３】
前記固定具は、前記保持部材に係合する湾曲部と、前記第１壁板を貫通する頂部とを有するＵ字ボルトであり、
前記Ｕ字ボルトの長さは、前記第１壁板、前記第２壁板及び前記保持部材との厚みの総和より短く、前記第１壁板及び前記保持部材の厚みの和より長いことを特徴とする、請求項１又は２に記載の簡易設置壁。
【請求項４】
前記Ｕ字ボルトの頂部は、前記第１壁板を貫通して前記２以上の第２壁板の境界に突出することを特徴とする、請求項３に記載の簡易設置壁。
【請求項５】
前記Ｕ字ボルトの頂部はコーキング処理され、前記第２壁板の表面が平滑化されていることを特徴とする、請求項３又は４に記載の簡易設置壁。
【考案の詳細な説明】
【技術分野】
【０００１】
本考案は、取り外し可能に設置される簡易設置壁に関するものである。
【背景技術】
【０００２】
野外にトライフットボール等の球技用の球技場を構築するために、簡易な工事で設置することができかつ容易に撤去することができる安全な設置壁が求められる。特に、野外のスペースについて、固定された球技場を常設せずに、各種球技でスペースを共用して使い分ける、あるいは球技以外の目的にも使用する場合においては、壁の設置・撤去が簡単であることが強く求められる。
【０００３】
特許文献１には、体育館等の施設内において球技用スペース、トレーニングスペース、多目的スペース等の多種類の施設を仕切る仕切壁が開示されている。しかし、野外に設置・撤去するには不便な構成であり、またトライフットボールのようなボールが壁面に当たって反射することをゲームの要素として取り込んだ球技（以下「反射壁球技」と言う。）において要求される強度を確保するには必ずしも十分な構成ではない。また、反射壁球技においては、壁面におけるボールの反射係数及び競技者が衝突した場合の安全性が要求されるが、かかる考慮がなされたものではない。
【０００４】
特許文献２には、プール等の既存施設をトライフットボール球技場として構成する構成部材が開示されている。しかし、既存施設のない野外において利用することはできない。
【先行技術文献】
【特許文献】
【０００５】
【特許文献１】特開２０００−１２９８２８号公報
【特許文献２】特開２０１２−２０５８０１号公報
【考案の概要】
【考案が解決しようとする課題】
【０００６】
本考案は、簡易に設置できるとともに容易に撤去することのできる簡易設置壁を提供することを課題とする。また、考案の実装によって、壁面におけるボールの反射係数が大きく、競技者が衝突した場合の安全性を有する簡易設置壁を提供することを課題とする。
【課題を解決するための手段】
【０００７】
本考案は、取り外し可能に設置される簡易設置壁であって、一部が地中に埋設される２つの支持部材と、前記２つの支持部材に該２つの支持部材が離間する方向の一側と他側がそれぞれ保持される保持部材と、前記保持部材に裏面が保持される第１壁板と、前記第１壁板の表面に保持される２以上の硬質ゴム製の第２壁板とを備え、前記第１壁板は、固定具を用いて前記保持部材に保持されることを特徴とする簡易設置壁である。
【０００８】
これによれば、簡易に設置でき、容易に撤去することができる。また、壁面におけるボールの反射係数が大きいものとなる。ここで「地中」とは、土の地面の中（下方）に限定されず、コンクリートの下方、アスファルトの下方、その他壁を設置する平面の下方を含む。また、壁を設置する平面は、屋外に限定されず屋内の場合もある。
【０００９】
本考案の簡易設置壁は、前記保持部材の地面からの高さを調整する調整部材をさらに備える。
【００１０】
これによれば、保持部材の位置を安定させることができ、第１壁板及び第２壁板の高さを調整することができる。
【００１１】
本考案の簡易設置壁は、前記固定具は、前記保持部材に係合する湾曲部と、前記第１壁板を貫通する頂部とを有するＵ字ボルトであり、前記Ｕ字ボルトの長さは、前記第１壁板、前記第２壁板及び前記保持部材との厚みの総和より短く、前記第１壁板及び前記保持部材の厚みの和より長いことを特徴とする。
【００１２】
これによれば、第１壁板を保持部材に強固に固定することができる。Ｕ字ボルトの先端が第２壁板の表面から突出しないので、安全である。
【００１３】
本考案の簡易設置壁は、前記固定具の頂部は、前記第１壁板を貫通して前記第２壁板の境界上に突出することを特徴とする。
【００１４】
これによれば、固定具の頂部が第２壁板の裏面に当接することなく、容易に第２壁板の表面を平面状とすることができる。
【００１５】
本考案の簡易設置壁は、前記Ｕ字ボルトの頂部はコーキング処理され、前記第２壁板の表面が平滑化されていることを特徴とする。
【００１６】
これによれば、安全性が増す。
【考案の効果】
【００１７】
本考案の簡易設置壁によれば、簡易に設置できるとともに容易に撤去することのできる安全な簡易設置壁が提供される。
また、壁面におけるボールの反射係数が大きく、競技者が衝突した場合の安全性を有する。反射壁球技に適している。
【図面の簡単な説明】
【００１８】
【図１】図１は、簡易設置壁の構成を示す背面図、側面図、及び正面図である。
【図２】図２は、壁板の取付を示す図である。
【図３】図３は、Ｕ字ボルトの構成を示す図である。
【図４】図４は、簡易設置壁によって構成された球技場を示す写真である。
【考案を実施するための形態】
【実施例１】
【００１９】
図１（Ａ）〜（Ｃ）に、それぞれ、本実施形態に係る簡易設置壁１の構成を示す背面図、側面図、及び正面図を与える。簡易設置壁１は、２つの支持部材２、壁板を保持する保持部材３、第１壁板４、６つの第２壁板５、及び２つの高さ調整部材６から構成される。なお、球技場の簡易壁に使用する場合を想定し、球技場側を表側、その逆側（観客席側）を裏側とも呼ぶ。
【００２０】
支持部材２は、一例として、長さ２０００ｍｍ及び太さ４８．６ｍｍの金属製のポールである。２つの支持部材２は、地中に打ち込まれ、それぞれの一側９００ｍｍが地中に埋設される。
【００２１】
保持部材３は、長さ１３７０ｍｍ及び太さ４８．６ｍｍの金属性の２つのポール３ａと、長さ９６０ｍｍ及び太さ４８．６ｍｍの金属性の２つのポール３ｂと、これらを連結する４つのＬ字状のつなぎ部材３ｃと、から構成される。２つのポール３ａを平行に保持し、それらの両端にそれぞれつなぎ部材３ｃの一方の凹部を差込み、２つのポール３ａの一側のつなぎ部材３ｃの他方の凹部に一方のポール３ｂの一端と他端を、２つのポール３ａの他側のつなぎ部材３ｃの他方の凹部に他方のポール３ｂの一端と他端を、それぞれ嵌入することで、長辺１３７０ｍｍ及び短辺９６０ｍｍの矩形枠状に構成される。
【００２２】
第１壁板４は、長辺１５００ｍｍ及び短辺１０００ｍｍ（厚さ１２ｍｍ）の矩形状の壁板である。第１壁板４として、例えば、耐水性を有する合板から構成される。また、アクリル板を用いて視界を妨げないようにすることもできる。
【００２３】
第２壁板５は、一辺５００ｍｍ（厚さ１５ｍｍ）の正方形状の壁板である。第２壁板５として、球技用ボールが適度の強度で跳ね返るように、例えば硬質ゴム（ラバー）から構成される。クッション性を高めるために、２層構造のものを使用することが好ましい。なお、第１壁板４及び第２壁板５のサイズは、設置する環境（地形等）に合わせて設計してよい。
【００２４】
高さ調整部材６は、地表面上に配置され、保持部材３を構成する２つのつなぎ部材３ｃの下端を支持して、例えばネジ係合によってつなぎ部材３ｃの地表面からの高さを調整する。
【００２５】
簡易設置壁１の設置方法について説明する。
【００２６】
最初に、２つの支持部材２を互いに９００ｍｍ離間してそれらの一側約９００ｍｍを地中に打ち込む。それにより、２つの支持部材２の他側約１１００ｍｍが、互いに９００ｍｍ離間して地上に突出する。
【００２７】
次に、２つの支持部材２に保持部材３を固定する。保持部材３は、その長手を水平方向に向け、２つの支持部材２の一側（表側）に配置され、上側のポール３ａの一側と他側を２つの支持部材２の上端近傍に、下側のポール３ａの一側と他側を２つの支持部材２の下端（地表面上の下端）近傍に、４つの固定具７を用いて固定される。ここで、下側のポール３ａの両端（つなぎ部材３ｃ）と地表面との間に高さ調整部材６が配置され、保持部材３の地表面からの高さが調整される。それにより、保持部材３に保持される第１及び第２壁板４，５の高さを調整することができる。また、固定具７は、支持部材２に係合するＵ字状の係合部とポール３ａに係合するＵ字状の係合部とが各２、交互に連なって一体形成されている。固定具７を用いることで、保持部材３を支持部材２に強固に固定することができる。
【００２８】
次に、保持部材３に第１壁板４を固定する。第１壁板４は、その長手を水平方向に向け、保持部材３を挟んで２つの支持部材２の逆側（保持部材３の表側）に配置され、その裏面が６つの固定具８を用いて保持部材３に固定される。各２つの固定具８が上側及び下側のポール３ａの中央に第２壁板５の幅に等しい離間距離を隔てて配置され、各１つの固定具８が一側及び他側のポール３ｂのほぼ中央に配置される。
【００２９】
図２に示すように、６つの固定具８は、保持部材３のポール３ａ，３ｂの外半径（外径の２分の１）にほぼ等しい又は若干大きい曲率で湾曲する湾曲部８ａと先端に雄ネジが形成された２つの頂部８ｂとを有するＵ字ボルトである。固定具８はその湾曲部８ａをポール３ａ，３ｂに係合し、その頂部８ｂを座金８ｅを介して第１壁板４を貫通し、その表面から突出する先端に別の座金８ｅを介して雌ネジが形成されたナット８ｃを螺合して固定する。座金８ｅは、金属製の板状部材であり、その長手方向に２つの頂部８ｂが通る２つの穴部が並設されている。さらに、ナット８ｃから突出する頂部８ｂの先端に頭部が丸く加工された化粧キャップ８ｄを固定する。固定具８を用いることで、第１壁板４は保持部材３に強固に固定される。
【００３０】
ここで、固定具８の長さは、第１及び第２壁板４，５と保持部材３との厚み（８０ｍｍ）より短く、第１壁板４と保持部材３との厚み（６５ｍｍ）より長い。それにより、固定具８の先端が、後述するように第１壁板４の表面に保持される第２壁板５の表面から突出することはない。また、化粧キャップ８ｄを用いることもでき、それにより、固定具８の２つの頂部８ｂが後述するように第１壁板４に保持される第２壁板５の背面に位置しても、第２壁板５の表面は凹凸なく平面をなす。
【００３１】
最後に、第１壁板４の表面に第２壁板５の裏面を貼り付ける。第２壁板５は、高さ方向に２つ、水平方向に３つ、計６つが第１壁板４の表面に保持される。ここで、第１壁板４を保持部材３に固定するために用いられた固定具８の頂部は、その配置より、第２壁板５の境界上に突出する（図１（Ｃ）及び図２（Ｂ）参照）。それにより、固定具８の頂部が第２壁板５の裏面に当接することなく、第２壁板５の表面が平面をなす。
【００３２】
図３に、Ｕ字ボルトの構成を与える。（Ａ）は正面図、（Ｂ）は右側面図である。Ｕ字ボルト８は、２つの頂部８ｂを湾曲部が結ぶ。頂部８ｂはボルトを形成する。ここにナット８ｃ及び化粧キャップ８ｄ螺入し、座金８ｅを嵌合する。座金８ｅは、（Ｃ）に示すように両側の頂部を結び、その間でＵ字ボルトを第１壁板に固定する。
【００３３】
上述の通り、簡易設置壁を設置して球技場の周囲を囲むことで、野外にトライフットボール等の球技用の球技場を簡易な工事で構築することができる。また、上述の手順を逆順に進めることで、簡易設置壁を容易に撤去することができる。
【００３４】
以上詳細に説明したように、本実施形態における簡易設置壁１は、一部が地中に埋設される２つの支持部材２と、これらに保持される保持部材３と、これに裏面が保持される第１壁板４と、その表面に保持される２以上の硬質ゴム製の第２壁板５と、から構成される。ここで、第１壁板４は、第１及び第２壁板４，５と保持部材３との厚みより短く、第１壁板４と保持部材３との厚みより長い固定具８を用いて保持部材３に固定される。これにより、固定具８の先端が第２壁板５の表面から突出せず安全であり、簡易に設置できるとともに容易に撤去することのできる簡易設置壁が提供される。
【００３５】
なお、２つの支持部材２及び保持部材３を構成するポール３ａ，３ｂは、金属製に限らず、第１及び第２壁板を保持し、トライフットボールのような球技において要求される強度を確保できるものであればその材質は問わない。
【００３６】
また、本実施形態の簡易設置壁１では、その一側（表側）のみ第１及び第２壁板４，５を設けたが、その他側（裏側）にも、すなわち両側に第１及び第２壁板４，５を設けてもよい。
【００３７】
また、支持部材２及び保持部材３のサイズ及び形状は一例であり、第１壁板４及び第２壁板５のサイズに応じて適宜変更することができる。また、第１及び第２壁板４，５の数及びサイズも一例であり、適宜変更することができる。
【００３８】
支持部材２は、ポールのみでなく、アンカーボルト等を含み、例えばポールとアンカーボルトを合わせて支持部材としてもよい。
【００３９】
また、Ｕ字ボルトを用いずに、一般的なネジ、その他の器具によって第１の壁板４を保持部材３に固定してもよい。
【００４０】
また、固定具８の２つの頂部８ｂに化粧キャップ８ｄを固定することに代えて、２つの頂部８ｂをコーキング処理することとしてもよい。それにより、固定具８の２つの頂部８ｂが背面に位置しても、第２壁板５の表面は凹凸なく平面をなす。
【実施例２】
【００４１】
簡易設置壁を利用したトライフットボール場を示す。
【００４２】
図４に、簡易設置壁によって構成された球技場（トライフットボール場）の写真を示す。ゴールの両側に３枚ずつの簡易設置壁１を連ね、サイドに１４枚の簡易設置壁を連ねて、１０ｍ×２１ｍのトライフットボール場を構築したものである。ここで、簡易設置壁の横幅は１．５ｍである。
【００４３】
写真に表されるように、隣接する簡易設置壁の間は、第２の壁板の間が小さく、滑らかに接続される。壁の間におけるイレギュラーバウンドが少ない。トライフットボール場に適した構造である。
【産業上の利用可能性】
【００４４】
本考案の簡易設置壁は、球技場、特にトライフットボール等の反射壁球技用のもの、を構築する設置壁に好適である。多くの球技愛好者による利用が考えられる。
なお、本考案の簡易設置壁の利用は、反射壁球技用の球技場に限定されない。更に広く利用可能性を有する。例えば、サッカー、テニス等の反射壁球技以外の球技用の球技場に用いることもできる。また、球技でなく、例えば公園の仕切り（例えばイベント開催日における臨時の仕切り）としても、簡易に設置・撤去ができることは大きなメリットである。
【符号の説明】
【００４５】
１…簡易設置壁
２…支持部材
３…保持部材
３ａ，３ｂ…ポール
３ｃ…部材
４…第１壁板
５…第２壁板
６…調整部材
７…固定具
８…固定具
８ａ…湾曲部
８ｂ…頂部
８ｃ…ナット
８ｄ…化粧キャップ
８ｅ…座金 
【図１】
0003188172.tif 000003
【図２】
0003188172.tif 000004
【図３】
0003188172.tif 000005
【図４】
0003188172.tif 000006